(57)【要約】【課題】商用コンセントの数による制約を受けにくい捕虫器を提供する。【解決手段】光源２と、上部フレーム３、下部フレーム４、第１側部フレーム５および第２側部フレーム６と、カバー７と、電源コード８とを備えた捕虫器１であって、第１側部フレーム５には、オン状態のときに電源コード８から光源２への電力供給を可能にし、オフ状態のときに電源コード８から光源２への電力供給を遮断するスイッチ部９と、電源コード８に電気的に接続され、スイッチ部９の状態とは無関係に電力供給を可能にするコンセント部１０と、が設けられていることを特徴とする。【選択図】図１
0003221466.tif 000002
【実用新案登録請求の範囲】
【請求項１】
虫を誘引するための光源と、
前記光源を保持するフレームと、
前記フレームの背面側に設けられ、虫捕獲用の粘着シートが配置されるカバーと、
前記光源に電力を供給するための電源コードと、
を備えた捕虫器であって、
前記フレームには、
オン状態のときに前記電源コードから前記光源への電力供給を可能にし、オフ状態のときに前記電源コードから前記光源への電力供給を遮断するスイッチ部と、
前記電源コードに電気的に接続され、前記スイッチ部の状態とは無関係に電力供給を可能にするコンセント部と、
が設けられていることを特徴とする捕虫器。
【請求項２】
前記スイッチ部および前記コンセント部は、前記フレームの底面側に設けられていることを特徴とする請求項１に記載の捕虫器。
【請求項３】
前記電源コードは、前記フレームの側面側においてフレーム外に引き出されていることを特徴とする請求項１または２に記載の捕虫器。
【請求項４】
前記光源は、ＬＥＤ光源であることを特徴とする請求１〜３のいずれか一項に記載の捕虫器。
【請求項５】
前記フレームは、合成樹脂からなることを特徴とする請求項１〜４のいずれか一項に記載の捕虫器。
【請求項６】
前記カバーと前記フレームの側面との間には開口部が形成されており、前記開口部から、前記粘着シートを前記カバーに取り付けたり前記粘着シートを前記カバーから取り外したりできることを特徴とする請求項１〜５のいずれか一項に記載の捕虫器。
【考案の詳細な説明】
【技術分野】
【０００１】
本考案は、捕虫器に関する。
【背景技術】
【０００２】
従来の捕虫器としては、例えば、特許文献１に記載のものが知られている。この捕虫器は、光源と、粘着シートと、光源に電力を供給するための電源コードとを備える。この捕虫器では、電源コードのプラグを商用コンセントに差し込むことで、光源を点灯させて虫を誘引し、誘引した虫を粘着シートで捕獲することができる。
【先行技術文献】
【特許文献】
【０００３】
【特許文献１】特開２００７−８号公報
【考案の概要】
【考案が解決しようとする課題】
【０００４】
ところで、複数台の捕虫器を設置する必要がある場合、設置場所によっては商用コンセントの数が不足して、十分な数の捕虫器を設置することができないという問題がある。
【０００５】
本考案は上記事情に鑑みてなされたものであって、その課題とするところは、商用コンセントの数による制約を受けにくい捕虫器を提供することにある。
【課題を解決するための手段】
【０００６】
上記課題を解決するために、本考案に係る捕虫器は、
虫を誘引するための光源と、
前記光源を保持するフレームと、
前記フレームの背面側に設けられ、虫捕獲用の粘着シートが配置されるカバーと、
前記光源に電力を供給するための電源コードと、
を備えた捕虫器であって、
前記フレームには、
オン状態のときに前記電源コードから前記光源への電力供給を可能にし、オフ状態のときに前記電源コードから前記光源への電力供給を遮断するスイッチ部と、
前記電源コードに電気的に接続され、前記スイッチ部の状態とは無関係に電力供給を可能にするコンセント部と、
が設けられていることを特徴とする。
【０００７】
上記捕虫器において、
前記スイッチ部および前記コンセント部は、前記フレームの底面側に設けられていることが好ましい。
【０００８】
上記捕虫器において、
前記電源コードは、前記フレームの側面側においてフレーム外に引き出されていてもよい。
【０００９】
上記捕虫器において、
前記光源は、ＬＥＤ光源であることが好ましい。
【００１０】
上記捕虫器において、
前記フレームは、合成樹脂からなることが好ましい。
【００１１】
上記捕虫器は、
前記カバーと前記フレームの側面との間には開口部が形成されており、前記開口部から、前記粘着シートを前記カバーに取り付けたり前記粘着シートを前記カバーから取り外したりできるよう構成してもよい。
【考案の効果】
【００１２】
本考案によれば、商用コンセントの数による制約を受けにくい捕虫器を提供することができる。
【図面の簡単な説明】
【００１３】
【図１】本考案の第１実施形態に係る捕虫器の斜視図である。
【図２】本考案の第１実施形態に係る捕虫器の右側面図である。
【図３】本考案の第１実施形態に係る捕虫器の正面図である。
【図４】本考案の第１実施形態に係る捕虫器の配線図である。
【図５】本考案の第２実施形態に係る捕虫器の底面図である。
【考案を実施するための形態】
【００１４】
以下、添付図面を参照して、本考案に係る捕虫器の実施形態について説明する。
【００１５】
［第１実施形態］
図１に、本考案の第１実施形態に係る捕虫器１を示す。捕虫器１は、光源２と、光源２を保持するフレーム（上部フレーム３、下部フレーム４、第１側部フレーム５および第２側部フレーム６）と、カバー７と、電源コード８と、スイッチ部９と、コンセント部１０とを備える。
【００１６】
光源２は、虫を誘引するためのもので、紫外線を含む光を照射する。光源２として、本実施形態では、ＬＥＤ光源を用いる。光源２は、ＬＥＤ光源の点灯制御などを行う制御回路も含む。
【００１７】
フレームは、上記のとおり、上部フレーム３と、下部フレーム４と、第１側部フレーム５と、第２側部フレーム６とを備え、光源２を保持する。フレームは、合成樹脂（本実施形態では、プラスチック）からなる。
【００１８】
上部フレーム３は、光源２の上側に位置し、上面の第１側部フレーム５側の端部および第２側部フレーム６側の端部に、フレームを吊り下げるための取付部１１を備える。取付部１１には、フレームを吊り下げるための鎖等を通す貫通孔が形成されている。
【００１９】
上部フレーム３内には、電源コード８および電力線（例えば、スイッチ部９と光源２の第２側部フレーム６側とを接続する電力線）が通る収容空間が形成されている。この収容空間は、第１側部フレーム５側と第２側部フレーム６側とが開放されていてもよい。
【００２０】
下部フレーム４は、光源２の下側に位置する。下部フレーム４は、平板状に形成されている。なお、下部フレーム４は、平板状に形成する代わりに、上部フレーム３と同様に、電源コード８および電力線が通る収容空間が形成されていてもよい。
【００２１】
第１側部フレーム５は、光源２の右側に位置し、光源２の一方側（右側）の側面に接続される。第１側部フレーム５は、収容空間を有し、当該収容空間内には、スイッチ部９およびコンセント部１０を含むコンセントモジュールＢが配置される（図４参照）。スイッチ部９の操作部分およびコンセント部１０のプラグ差し込み部分は、捕虫器１のユーザが操作等できるように、第１側部フレーム５の右端面に露出している。第１側部フレーム５の上面側（収容空間の上面側）は、上部フレーム３によって覆われており、第１側部フレーム５の底面側（収容空間の下面側）は、下部フレーム４によって覆われている。
【００２２】
第２側部フレーム６は、光源２の左側に位置し、光源２の他方側（左側）の側面に接続される。第２側部フレーム６は収容空間を有し、当該収容空間内には光源２の制御回路が配置される。第２側部フレーム６の上面側（収容空間の上面側）は、上部フレーム３によって覆われており、第２側部フレーム６の底面側（収容空間の下面側）は、下部フレーム４によって覆われている。
【００２３】
カバー７は、フレームの背面側に設けられ、虫捕獲用の粘着シート（図示略）が配置される。カバー７は、合成樹脂（本実施形態では、プラスチック）からなる。
【００２４】
図２に示すように、カバー７は、上端が上部フレーム３の背面側端部に接続され、かつ下端が下部フレーム４の背面側端部に接続される一方、第１側部フレーム５および第２側部フレーム６からは離間している。なお、カバー７、上部フレーム３および下部フレーム４は、一体的に形成されていてもよい。
【００２５】
カバー７は、背面側に突出するように折り曲げられた形状をしている。カバー７と第１側部フレーム５および第２側部フレーム６との間には開口部Ａが形成されており、開口部Ａから、粘着シートをカバー７に取り付けたり粘着シートをカバー７から取り外したりできる。
【００２６】
図３に示すように、カバー７と上部フレーム３との境界部分には、粘着シートの上端を保持するための第１保持部１２が設けられており、カバー７と下部フレーム４の境界部分には、粘着シートの下端を保持するための第２保持部１３が設けられている。第１保持部１２および／または第２保持部１３の位置、大きさ、形状、個数等は適宜変更することができる。
【００２７】
電源コード８は、一端側にプラグを有し、他端側がスイッチ部９およびコンセント部１０を含むコンセントモジュールＢに接続される。電源コード８は、コンセントモジュールＢが収容された第１側部フレーム５から上部フレーム３および第２側部フレーム６を通り、第２側部フレーム６においてフレーム外に引き出されている。
【００２８】
図４に示すように、スイッチ部９は、電源コード８と光源２の左側（第２側部フレーム６側）とを接続する電力線に介装されている。スイッチ部９は、ユーザがフレーム外からオン／オフ操作できるように構成されており、オン状態のときに電源コード８から光源２への電力供給を可能にし、オフ状態のときに電源コード８から光源２への電力供給を遮断する。
【００２９】
コンセント部１０は、コンセントモジュールＢの入力端子Ｔ１、Ｔ２（電源コード８が接続される端子）間に設けられている。コンセント部１０は、スイッチ部９の状態とは無関係に（例えば、スイッチ部９がオフ状態であっても）、当該コンセント部１０に接続される負荷（例えば、別の捕虫器１）に対して電力供給を可能にする。
【００３０】
スイッチ部９およびコンセント部１０を含むコンセントモジュールＢは、上記のとおり、電源コード８が接続される入力端子Ｔ１、Ｔ２と、光源２が接続される出力端子Ｔ３、Ｔ４を備える。コンセントモジュールＢ内において、入力端子Ｔ１は出力端子Ｔ３に接続され、入力端子Ｔ２はスイッチ部９を介して出力端子Ｔ４に接続される。本実施形態では、スイッチ部９が上側に配置され、コンセント部１０が下側に配置されているが、この配置は適宜変更できる。
【００３１】
本実施形態に係る捕虫器１は、コンセント部１０を備えるので、商用コンセントの数による制約を受けにくい。例えば、３台の捕虫器１Ａ、１Ｂ、１Ｃを設置する場合、捕虫器１Ａの電源コード８のプラグを商用コンセントに差し込み、捕虫器１Ｂの電源コード８のプラグを捕虫器１Ａのコンセント部１０に差し込み、かつ捕虫器１Ｃの電源コード８のプラグを捕虫器１Ｂのコンセント部１０に差し込むことで、１つの商用コンセントから３台の捕虫器１Ａ、１Ｂ、１Ｃに電力供給を行うことができる。
【００３２】
本実施形態に係る捕虫器１は、コンセント部１０が第１側部フレーム５側に設けられ、電源コード８が第２側部フレーム６においてフレーム外に引き出されているので、複数台の捕虫器１を一列に設置する場合、フレーム外に引き出された電源コード８の長さを最小限に抑えることができる。その結果、電源コード８により捕虫器１の外観が損なわれるのを防ぐことができる。
【００３３】
本実施形態に係る捕虫器１は、光源２としてＬＥＤ光源を使用しているので、蛍光灯を使用した場合と比較して、長寿命かつ低消費電力化を実現することができる。
【００３４】
本実施形態に係る捕虫器１は、フレーム（上部フレーム３、下部フレーム４、第１側部フレーム５および第２側部フレーム６）およびカバー７をプラスチックで構成しているので、軽量化を図ることができ、持ち運びに便利である。
【００３５】
［第２実施形態］
図５に、本考案の第２実施形態に係る捕虫器１’の底面図を示す。捕虫器１’は、スイッチ部９およびコンセント部１０がフレームの底面側に設けられていること以外、第１実施形態と共通している。
【００３６】
スイッチ部９は、第１側部フレーム５の収容空間内に配置される。スイッチ部９の操作部分は、ユーザが操作できるように、下部フレーム４から露出している。
【００３７】
コンセント部１０は、第２側部フレーム６の収容空間内に配置される。コンセント部１０のプラグ差し込み部分は、ユーザがプラグを差し込むことができるように、下部フレーム４から露出している。
【００３８】
本実施形態に係る捕虫器１’によれば、スイッチ部９およびコンセント部１０がフレームの底面側に設けられているので、フレームに付着した水滴等が流れ落ちる際にスイッチ部９およびコンセント部１０に浸入するのを抑制することができる。すなわち、捕虫器１’は、優れた防水性を発揮できる。
【００３９】
なお、スイッチ部９およびコンセント部１０は、フレームの底面側に設けられているのであれば、配置等は適宜変更できる。例えば、スイッチ部９を第２側部フレーム６の収容空間内に配置する一方、コンセント部１０を第１側部フレーム５の収容空間内に配置してもよい。
【００４０】
以上、本考案に係る捕虫器の好ましい実施形態について説明したが、本考案は上記実施形態に限定されるものではない。
【００４１】
本考案に係る捕虫器は、光源と、光源を保持するフレームと、フレームの背面側に設けられ、虫捕獲用の粘着シートが配置されるカバーと、光源に電力を供給するための電源コードとを備え、フレームに、オン状態のときに電源コードから光源への電力供給を可能にし、オフ状態のときに電源コードから光源への電力供給を遮断するスイッチ部と、電源コードに電気的に接続され、スイッチ部の状態とは無関係に電力供給を可能にするコンセント部と、が設けられているのであれば、適宜構成を変更できる。
【００４２】
本考案に係る捕虫器は、光源としてＬＥＤ光源以外のものを使用できる。
【００４３】
本考案に係る捕虫器は、フレーム（上部フレーム、下部フレーム、第１側部フレームおよび第２側部フレーム）およびカバーの材質、形状等を適宜変更することができる。
【００４４】
本考案の電源コードは、一端側にプラグを有し、他端側がスイッチ部およびコンセント部に接続されるのであれば、適宜構成を変更できる。電源コードは、フレームの側面側において、例えば、第１側部フレームから上部フレーム（または下部フレーム）および第２側部フレームを通り、第２側部フレームにおいてフレーム外に引き出されていることが好ましい。
【００４５】
本考案のスイッチ部は、オン状態のときに電源コードから光源への電力供給を可能にし、オフ状態のときに電源コードから光源への電力供給を遮断するのであれば、適宜構成を変更できる。
【００４６】
本考案のコンセント部は、電源コードに電気的に接続され、スイッチ部の状態とは無関係に電力供給を可能にするのであれば、適宜構成を変更できる。
【符号の説明】
【００４７】
１、１’    捕虫器
２    光源
３    上部フレーム
４    下部フレーム
５    第１側部フレーム
６    第２側部フレーム
７    カバー
８    電源コード
９    スイッチ部
１０    コンセント部
１１    取付部
１２    第１保持部
１３    第２保持部
Ａ    開口部
Ｂ    コンセントモジュール
【図１】
0003221466.tif 000003
【図２】
0003221466.tif 000004
【図３】
0003221466.tif 000005
【図４】
0003221466.tif 000006
【図５】
0003221466.tif 000007